(57)【特許請求の範囲】
【請求項１】
バランス運動用台（１）とツイスト運動用台（２）を表裏に備え、ツイスト運動用台（２）の側にバランス運動用突出部（３）を有しているとともに、ツイスト運動用台（２）がバランス運動用台（１）に対して回転可能になっており、ツイスト運動用台（２）を下にして設置したときにはバランス運動用台（１）に足を載せてバランス運動が行えるようにし、バランス運動用台（１）を下にして設置したときにはツイスト運動用台（２）に足を載せてツイスト運動が行えるようにしていることを特徴とする回転運動具。
【請求項２】
バランス運動用台（１）とツイスト運動用台（２）を互いに回転可能に取り付け、さらに、ツイスト運動用台（２）を下にして設置したときにバランス運動用台（１）のツイスト運動用台（２）に対する回転を抑止するロック機構を設けたものとしている請求項１記載の回転運動具。
【請求項３】
ロック機構は、垂直方向の移動が可能な止め具（７）をバランス運動用台（１）の側に有しており、ツイスト運動用台（２）を下にして設置したときに、前記止め具（７）が下降してツイスト運動用台（２）に係止されることにより、バランス運動用台（１）の回転を抑止するようにしたものである請求項２記載の回転運動具。
【発明の詳細な説明】
【技術分野】
【０００１】
この発明は、足を載せてバランス運動やツイスト運動を行うことができるようにした回転運動具に関するものである。
【背景技術】
【０００２】
従来、足載せ台を左右方向、前後方向、あるいは垂直方向に振動させ、足載せ台に乗った人に対して姿勢のアンバランスを与え、バランス運動、すなわち平衡感覚のトレーニングを行えるようにしたトレーニング器が存在する（特許文献１参照）。
【０００３】
しかし、このトレーニング器は、モータ等からなる機構を備えたもので、電源を必要とするものであり、構成も複雑で、設置場所が限定され、持ち運びが不便であるなど取り扱いにくいものであり、安価にすることも難しい。
【０００４】
また、他に、足を載せて行う運動を実施するための器具としては、回転自在な足載せ台の上に人が乗って、ツイスト運動ができるようにした運動器具が存在するが（特許文献１の背景技術欄参照）、このようなツイスト運動と、前述のバランス運動の両方を行えるようにしたものは存在しなかった。
【特許文献１】特開昭６１−１６８３７３号公報
【発明の開示】
【発明が解決しようとする課題】
【０００５】
そこで、この発明は、取り扱いが容易で、安価に製造でき、しかも、ツイスト運動とバランス運動の両方を行うことが可能な回転運動具を提供することを課題とする。
【課題を解決するための手段】
【０００６】
この発明の回転運動具は、バランス運動用台１とツイスト運動用台２を表裏に備え、ツイスト運動用台２の側にバランス運動用突出部３を有しているとともに、ツイスト運動用台２がバランス運動用台１に対して回転可能になっており、ツイスト運動用台２を下にして設置したときにはバランス運動用台１に足を載せてバランス運動が行えるようにし、バランス運動用台１を下にして設置したときにはツイスト運動用台２に足を載せてツイスト運動が行えるようにしている。
【０００７】
また、バランス運動用台１とツイスト運動用台２を互いに回転可能に取り付け、さらに、ツイスト運動用台２を下にして設置したときにバランス運動用台１のツイスト運動用台２に対する回転を抑止するロック機構を設けたものとすることができる。
【０００８】
さらに、ロック機構は、垂直方向の移動が可能な止め具７をバランス運動用台１の側に有しており、ツイスト運動用台２を下にして設置したときに、前記止め具７が下降してツイスト運動用台２に係止されることにより、バランス運動用台１の回転を抑止するようにしたものとすることができる。
【発明の効果】
【０００９】
この発明の回転運動具は、上述のような構成を有しており、取り扱いが容易で、安価に製造でき、しかも、ツイスト運動とバランス運動の両方を行うことが可能となっている。
【００１０】
また、バランス運動用台１とツイスト運動用台２を互いに回転可能に取り付け、さらに、ツイスト運動用台２を下にして設置したときにバランス運動用台１のツイスト運動用台２に対する回転を抑止するロック機構を設けると、バランス運動を行う場合に、使用者はしっかりとバランス運動用台１に足を載せてバランス運動を確実に行えるとともに、不意に足をひねったり転倒したりすること等が防止され、安全に使用することができる。
【発明を実施するための最良の形態】
【００１１】
以下、この発明の好適な実施形態を、図面を参照して説明する。
【００１２】
図１は、この発明の実施形態の回転運動具の分解状態の説明図、図２はツイスト運動用台２を下にして設置した場合の斜視図、図３はバランス運動用台１を下にして設置した場合の斜視図、図４はツイスト運動用台２を下にして設置した場合の断面図、図５はバランス運動用台１を下にして設置した場合の断面図、図６はこの回転運動具でバランス運動を行っている様子を示す説明図、図７はこの回転運動具でツイスト運動を行っている様子を示す説明図である。
【００１３】
この回転運動具は、バランス運動用台１とツイスト運動用台２を表裏に備え、ツイスト運動用台２の側にバランス運動用突出部３を有しているとともに、ツイスト運動用台２がバランス運動用台１に対して回転可能になっており、ツイスト運動用台２を下にして設置したときにはバランス運動用台１に足を載せてバランス運動が行えるようにし、バランス運動用台１を下にして設置したときにはツイスト運動用台２に足を載せてツイスト運動が行えるようにしたものである。
【００１４】
回転運動具は、バランス運動用台１、ツイスト運動用台２、固定リング４、スペーサー５、連結ボルト６、止め具７、ワッシャ８、ボール９等から構成される。各構成部材は、それぞれに求められる強度等に応じて、合成樹脂、金属等適宜の素材からなるものとすることができる。
【００１５】
バランス運動用台１とツイスト運動用台２とはほぼ同じ径の円形であり、固定リング４はそれよりやや小さい円形でバランス運動用台１の内側に配される。バランス運動用台１とツイスト運動用台２とは、円筒状のスペーサー５に挿入された連結ボルト６を介して連結されているとともに、固定リング４に保持されたボール９を介して、中心に位置するスペーサー５を軸に、互いに回転可能な構成となっている。
【００１６】
バランス運動用台１は、直径３２５ｍｍ程度で、外面の中央に円形の凹部１０とこの凹部１０を塞ぐキャップ１１を備えている。凹部１０には、バランス運動用台１の中心に位置するスペーサー挿入部１２と、中心から離れた場所に位置する止め具挿入部１３が形成されている。止め具挿入部１３は、中心を通る線上に中心から等しく離れた２箇所に形成されているが、個数や位置を適宜変更することができる。
【００１７】
スペーサー挿入部１２は、ツイスト運動用台２側に垂直に延び、スペーサー５を包囲する形状であり、バランス運動用台１はスペーサー５を中心に回転可能になっている。また、スペーサー挿入部１２の外面側には、ワッシャ８が入る窪み１４が形成されており、その上方に連結ボルト６の頭部が露出するようにしている。
【００１８】
２つの止め具挿入部１３は、いずれも連結ボルト６よりも短いボルトである止め具７が挿入される２段の円筒状で、上段部分１３ａが止め具７の頭部よりわずかに大きな径を有し、下段部分１３ｂが止め具７の本体部よりわずかに大きな径を有しており、止め具７が垂直方向（軸方向）に移動可能になっている。
【００１９】
バランス運動用台１の内面側には、同心円状に形成された大小の２つの円状の溝１５，１６が形成されている。溝１５，１６は断面弧状で、ボール９の転がりが可能となっている。
【００２０】
バランス運動用台１には、外面に足裏の指圧用の突起１７ａと接地用の突起１７ｂがそれぞれ多数形成されている。指圧用の突起１７ａは、東洋医学に基づいて、足裏にある各種のツボに当たるように配置されており、図示しないが、足形に文字や色分けを付すことによって、使用者に身体のどの部分に関係のあるツボであるのかが分かるように表示することができる。また、接地用の突起１７ｂは、バランス運動用台１の周縁部に配置されており、バランス運動用台１を下にしたときに接地するようになっている。
【００２１】
固定リング４は、直径２９０ｍｍ程度で、比較的厚みの薄い同心円状に形成された大小の２つの円状部４ａ，４ｂと、これら円状部４ａ，４ｂ間に掛け渡された複数の半径方向に延びるスポーク状部４ｃからなり、２つの円状部４ａ，４ｂにはそれぞれ適宜間隔でボール９よりわずかに大きい径のボール用孔１８が複数形成されている。また、小さな円状部４ａの内側の孔１９は、前記バランス運動用台１の凹部１０の周壁が嵌る大きさとなっている。
【００２２】
固定リング４はバランス運動用台１に嵌め込まれており、ボール９は前記ボール用孔１８で転がり可能に保持されるようになっている。
【００２３】
ツイスト運動用台２は、中央にバランス運動用突出部３を備えている。バランス運動用突出部３は、円形のカップ状であり、ツイスト運動用台２の外側の中央部分に嵌合しており、その接地する面３ａは緩やかな曲面となっている。
【００２４】
バランス運動用突出部３の内側には、ツイスト運動用台２の中心に位置するスペーサー挿入部２０が形成されている。スペーサー挿入部２０は、バランス運動用台１側に垂直に延び、バランス運動用台１のスペーサー挿入部１２と同様にスペーサー５を包囲する形状であり、ツイスト運動用台２はスペーサー５を中心に回転可能になっている。
【００２５】
ツイスト運動用台２のスペーサー挿入部２０は、バランス運動用突出部３付近から延びている分、バランス運動用台１のスペーサー挿入部１２より長く形成されており、両台１，２のスペーサー挿入部１２，２０によってスペーサー５の外周の大部分が包囲されるようになっている。また、スペーサー挿入部２０の外側には、連結ボルト６のワッシャ２１とナット２２が入る筒状部２３が形成されている。
【００２６】
ツイスト運動用台２の内側には、同心円状に形成された径の異なる３つの円状リブ２４，２５、２６と、前記スペーサー挿入部２０から放射状に延び前記円状リブ２４，２５、２６と交差する複数の直線状リブ２７が形成されている。
【００２７】
最小の円状リブ２４と最大の円状リブ２６は、それぞれ前記バランス運動用台１の２つの円状の溝１５，１６、並びに固定リング４の２つの円状部４ａ，４ｂと径が一致し、それらの頂部は断面弧状で、ボール９の転がりが可能となっている。
【００２８】
直線状リブ２７は、前記最小の円状リブ２４の内側の、前記止め具７の延長線上の部分付近が、ツイスト運動用台２を下にしたときに下降した前記止め具７の先端部が達する位置よりも高くなるように形成されている。
【００２９】
また、ツイスト運動用台２には、外面に突起２８が多数形成されているとともに、前記円状リブ２４，２５、２６及び直線状リブ２７に対応する溝２９が形成されており、これらがツイスト運動時の使用者の足の滑り止めとなるようにしている。
【００３０】
この回転運動具は、ツイスト運動用台２を下にして設置したときにバランス運動用台１の回転を抑止するロック機構が設けられたものとなっている。ロック機構は、ツイスト運動用台２を下にして設置したときに前記止め具７が下降し、ツイスト運動用台２に係止されることにより、バランス運動用台１の回転を抑止するようにしたものである。
【００３１】
すなわち、前記止め具挿入部１３に入っている止め具７は、ツイスト運動用台２を下にすると、その自重で下方（ツイスト運動用台２側）に移動し、先端部がツイスト運動用台２の内側の隣接する２つの直線状リブ２７間に入る（図４参照）。このとき、バランス運動用台１を回転させようとすると、止め具７は、前記直線状リブ２７のいずれかに当たるので、バランス運動用台１の回転が抑止される。
【００３２】
逆に、バランス運動用台１を下にすると、前記止め具７は自重で下方（バランス運動用台１側）に移動し、先端部が直線状リブ２７間から抜け出し、ツイスト運動用台２の回転が可能となる（図５参照）。なお、止め具７はその頭部がキャップ１１に当たるので、バランス運動用台１から抜け落ちることはない。
【００３３】
この回転運動具でバランス運動を行う場合は、図６に示したように、ツイスト運動用台２を下にして設置し、バランス運動用台１に足を載せ、バランス運動用突出部３のみで接地し、ツイスト運動用台２が接地しないように身体をバランスさせる。この場合、使用者の姿勢、体重のかけかたにより、左右方向、前後方向、あるいは垂直方向に揺れが生じるので、平衡感覚のトレーニングになる。
【００３４】
また、バランス運動を行う場合は、前述のロック機構により、バランス運動用台１のツイスト運動用台２に対する回転が抑止されるので、使用者はしっかりとバランス運動用台１に足を載せてバランス運動を確実に行えるとともに、不意に足をひねったり転倒したりすること等が防止され、安全に使用することができる。さらに、バランス運動の際には、前記突起１７ａにより、足裏の指圧も同時に行えるようになっている。
【００３５】
ツイスト運動を行う場合は、図７に示したように、バランス運動用台１を下にして設置し、バランス運動用台１に足を載せ、身体を左右にひねる。ツイスト運動を行うことにより、わき腹やウエストなどの筋肉を鍛え、シェイプアップすることができる。
【００３６】
バランス運動用台１を下にして設置しているときは、前記止め具７はバランス運動用台１側に落下しており、その先端部がツイスト運動用台２の直線状リブ２７に当たらないため、ロック機構は作用せず、バランス運動用台１の回転は妨げられない。
【００３７】
なお、この発明は、上述の実施形態の構成に限定されるものではなく、各構成部材の形状、寸法等を適宜変更して実施することができる。
【図面の簡単な説明】
【００３８】
【図１】この発明の実施形態の回転運動具の分解状態の説明図である。
【図２】この発明の実施形態の回転運動具のツイスト運動用台を下にして設置した場合の斜視図である。
【図３】この発明の実施形態の回転運動具のバランス運動用台を下にして設置した場合の斜視図である。
【図４】この発明の実施形態の回転運動具のツイスト運動用台を下にして設置した場合の断面図である。
【図５】この発明の実施形態の回転運動具のバランス運動用台を下にして設置した場合の断面図である。
【図６】この発明の実施形態の回転運動具でこの回転運動具でバランス運動を行っている様子を示す説明図である。
【図７】この発明の他の実施形態の回転運動具でツイスト運動を行っている様子を示す説明図である。
【符号の説明】
【００３９】
１  バランス運動用台
２  ツイスト運動用台
３  バランス運動用突出部
７  止め具
【図１】
0004609761.tif 000002
【図２】
0004609761.tif 000003
【図３】
0004609761.tif 000004
【図４】
0004609761.tif 000005
【図５】
0004609761.tif 000006
【図６】
0004609761.tif 000007
【図７】
0004609761.tif 000008